(57)【要約】バックライト装置１２は、ＬＥＤ１７と、端面にＬＥＤ１７からの光が入射する光入射面１９ａを有するとともに、板面に光を出射させる光出射面１９ｂを有する導光板１９と、ＬＥＤ１７が実装されるＬＥＤ基板１８であって、少なくとも一部に、導光板１９の端部のうち光入射面１９ａ側に位置する端部である光入射面側端部２４に対し、光出射面１９ｂ側において重なり合う導光板重畳部２２を有するＬＥＤ基板１８と、ＬＥＤ基板１８の導光板重畳部２２に設けられることで、導光板重畳部２２と導光板１９の光入射面側端部２４との間に介在する形で配される遮光部２７と、を備える。
2014188748.tif 000002
【特許請求の範囲】
【請求項１】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備える照明装置。
【請求項２】
前記遮光部は、前記導光板の前記光入射面側端部における前記光出射面に対して当接する形で配されている請求項１記載の照明装置。
【請求項３】
前記導光板の前記光入射面側端部には、前記光出射面から前記光源基板の前記導光板重畳部に向けて少なくとも一部を突出させてなり、前記光源に近づくほど突出代が大きくなるよう、前記光入射面側とは反対側に傾斜面を有する光入射範囲拡張部が形成されている請求項１または請求項２記載の照明装置。
【請求項４】
少なくとも前記遮光部と、前記光源基板の前記導光板重畳部との間に介在する形で配されて前記遮光部を前記導光板重畳部に固着する固着部材が備えられている請求項１から請求項３のいずれか１項に記載の照明装置。
【請求項５】
前記固着部材は、前記光源基板の前記導光板重畳部と、前記導光板の前記光入射面側端部との間に介在する形で配されて、前記導光板重畳部を前記光入射面側端部に対して固着する導光板固着部を有している請求項４記載の照明装置。
【請求項６】
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配されている請求項５記載の照明装置。
【請求項７】
前記導光板の前記光入射面側端部には、前記光出射面から前記光源基板の前記導光板重畳部に向けて部分的に突出し、その突出先端面が前記導光板重畳部に沿って略フラットな形状とされるとともに、前記導光板固着部が固着される被固着突部が形成されている請求項６記載の照明装置。
【請求項８】
前記遮光部は、前記被固着突部との間に間隔を空けた形で配されている請求項７記載の照明装置。
【請求項９】
前記導光板固着部は、前記光源基板の前記導光板重畳部のうち、前記光源非配置領域に加えて、前記光源配置領域における前記光源非配置領域と隣り合う端部に対しても選択的に固着される形で配されている請求項６から請求項８のいずれか１項に記載の照明装置。
【請求項１０】
前記導光板を取り囲む枠状をなすとともに、少なくとも一部が前記導光板の前記光入射面との間で前記光源を挟み込む形で配されてなるフレームが備えられるのに対し、前記光源基板は、少なくとも一部に、前記フレームのうち前記光入射面との間で前記光源を挟み込む部分に対して重なり合うフレーム重畳部を有しており、
前記固着部材は、前記光源基板の前記フレーム重畳部と前記フレームのうち前記光入射面との間で前記光源を挟み込む部分との間に介在する形で配されて前記フレーム重畳部を前記フレームのうち前記光入射面との間で前記光源を挟み込む部分に対して固着するフレーム固着部を有している請求項４から請求項９のいずれか１項に記載の照明装置。
【請求項１１】
請求項１から請求項１０のいずれか１項に記載の照明装置と、前記導光板に対して前記光出射面側に配されるとともに前記光出射面から出射される光を利用して画像が表示される表示領域を有する表示パネルと、を備える表示装置。
【請求項１２】
前記表示パネルの端部に接続されるとともに電子部品が搭載されたフレキシブル基板が前記光源基板とは別途に備えられている請求項１１記載の表示装置。
【請求項１３】
前記表示パネルと前記光源基板との間に介在する形で配されて前記光源基板を前記表示パネルに固着するパネル固着部材が備えられている請求項１１または請求項１２記載の表示装置。
【請求項１４】
前記パネル固着部材は、遮光性を有する構成とされる請求項１３記載の表示装置。
【請求項１５】
前記表示パネルは、一対の基板間に液晶を封入してなる液晶パネルとされる請求項１１から請求項１４のいずれか１項に記載の表示装置。
【発明の詳細な説明】
【技術分野】
【０００１】
本発明は、照明装置及び表示装置に関する。
【背景技術】
【０００２】
画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。エッジライト型のバックライト装置は、光源と、光源が実装された光源基板と、光源が対向状に配される光入射面を有するとともに光入射面から導入した光を液晶パネルに向けて出射させる光出射面を有する導光板と、を備えている。この種のバックライト装置を備えた液晶表示装置の一例として下記特許文献１に記載されたものが知られている。
【先行技術文献】
【特許文献】
【０００３】
【特許文献１】特許第５１０１７０１号公報
【０００４】
（発明が解決しようとする課題）
上記した特許文献１に記載された液晶表示装置は、一方の端部が液晶パネルの端部に接続されたＦＰＣを折り返すことで、その他方の端部をバックライト装置内に収容するとともに、同他方の端部に光源としてＬＥＤを実装した構成とされている。ここで、液晶表示装置の薄型化が求められた場合には、例えば、導光板を薄型化するとともにＬＥＤを低背化することが考えられる。ところが、液晶パネルに接続されたＦＰＣには、ＬＥＤ以外にもコンデンサなどの電子部品が搭載されており、それらの電子部品には低背化するのが困難なものが含まれている場合があるため、バックライト装置並びに液晶表示装置の薄型化を図るのには限界があった。それ以外にも、バックライト装置内には、ＬＥＤが実装されたＦＰＣの他方の端部が配置されているのに加えて、導光板からの漏れ光を遮光する幅狭シート部材を幅広シート部材に取り付けてなる規制部材が、導光板の光出射面側に積層配置されているため、バックライト装置並びに液晶表示装置の薄型化を図る上で制約となっていた。
【発明の概要】
【０００５】
本発明は上記のような事情に基づいて完成されたものであって、薄型化を図ることを目的とする。
【０００６】
（課題を解決するための手段）
本発明の照明装置は、光源と、端面に前記光源からの光が入射する光入射面を有するとともに、板面に光を出射させる光出射面を有する導光板と、前記光源が実装される光源基板であって、少なくとも一部に、前記導光板の端部のうち前記光入射面側に位置する端部である光入射面側端部に対し、前記光出射面側において重なり合う導光板重畳部を有する光源基板と、前記光源基板の前記導光板重畳部に設けられることで、前記導光板重畳部と前記導光板の前記光入射面側端部との間に介在する形で配される遮光部と、を備える。
【０００７】
このようにすれば、光源から導光板の光入射面に入射した光は、導光板内を伝播した後に光出射面から出射される。ここで、仮に光入射面に入射した光が、導光板内を殆ど伝播することなく、導光板の端部のうち光入射面側に位置する端部である光入射面側端部から直接出射した場合、その光が漏れ光となって当該照明装置の光学性能を悪化させるおそれがある。その点、光源が実装された光源基板は、少なくとも一部に、導光板の端部のうち光入射面側に位置する端部である光入射面側端部に対し、光出射面側において重なり合う導光板重畳部を有していて、この導光板重畳部に設けられた遮光部を、導光板重畳部と導光板の光入射面側端部との間に介在させているから、導光板の光入射面側端部から光が直接出射した場合でも、その光を遮光部によって遮ることができる。これにより、当該照明装置の光学性能が良好に保たれる。その上で、遮光部は、光源が実装された光源基板に有される導光板重畳部に設けられているから、従来のように光源が実装されたＦＰＣとは別途に、遮光を図るための規制部材が照明装置内に収容される構成のものに比べると、当該照明装置の薄型化が図られる。
【０００８】
本発明の照明装置の実施態様として、次の構成が好ましい。
（１）前記遮光部は、前記導光板の前記光入射面側端部の前記光出射面に対して当接する形で配されている。このようにすれば、導光板の光入射面側端部から光が出射した場合でも、その光入射面側端部における光出射面に当接する遮光部によって光の漏れをより確実に防ぐことができる。しかも、導光板の光入射面側端部が遮光部により光出射面の法線方向について位置決めされるから、光源から光入射面に入射する光の入射効率を安定させることができる。
【０００９】
（２）前記導光板の前記光入射面側端部には、前記光出射面から前記光源基板の前記導光板重畳部に向けて少なくとも一部を突出させてなり、前記光源に近づくほど突出代が大きくなるよう、前記光入射面側とは反対側に傾斜面を有する光入射範囲拡張部が形成されている。このようにすれば、導光板の光入射面側端部に、光出射面から光源基板の導光板重畳部に向けて少なくとも一部を突出させてなり、光源に近づくほど突出代が大きくなる光入射範囲拡張部が形成されることで、光源からの光が導光板に入射される際の光入射範囲が拡張され、それにより光の入射効率がより高いものとなる。その一方、光入射範囲拡張部は、光入射面側とは反対側に傾斜面を有しているため、その傾斜面から光が漏れ出すことが懸念される。ところが、この傾斜面から漏れ出した光は、導光板重畳部と光入射面側端部との間に介在する形で配される遮光部により遮光されるので、当該照明装置の光学性能が良好に保たれるようになっている。
【００１０】
（３）少なくとも前記遮光部と、前記光源基板の前記導光板重畳部との間に介在する形で配されて前記遮光部を前記導光板重畳部に固着する固着部材が備えられている。このようにすれば、固着部材によって遮光部を導光板重畳部に対して簡単に設けることができる。
【００１１】
（４）前記固着部材は、前記光源基板の前記導光板重畳部と、前記導光板の前記光入射面側端部との間に介在する形で配されて、前記導光板重畳部を前記光入射面側端部に対して固着する導光板固着部を有している。このようにすれば、光源基板の導光板重畳部を、導光板の光入射面側端部に対して固着する導光板固着部が固着部材に有されているから、光源基板に実装された光源を導光板の光入射面に対して、光源から光入射面に向かう方向について位置決めを図ることができる。これにより、光源から光入射面に入射する光の入射効率を安定させることができる。しかも、遮光部を光源基板の導光板重畳部に対して固着する固着部材が導光板固着部を有する構成であるから、仮に遮光部を導光板重畳部に対して固着する固着部材とは別途に光源基板を導光板に固着する部材を設けた場合に比べると、部品点数を削減することができる。
【００１２】
（５）前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、前記導光板固着部は、前記光源基板の前記導光板重畳部のうち、少なくとも前記光源非配置領域に対して選択的に固着される形で配されている。このようにすれば、光源基板において光源基板の板面に沿い且つ光入射面に沿う方向について間欠的に並んで配される複数の光源から発せられた光が、導光板の光入射面に入射されたとき、導光板の光入射面側端部に存在する光量の分布密度には、同端部における光源の並び方向についての位置によって光源の配置パターンに応じた差が生じ得る。すなわち、光入射面側端部のうち、光源の並び方向について光源配置領域と重なり合う部分では、存在する光量の分布密度が高く、光源の並び方向について光源非配置領域と重なり合う部分では、存在する光量の分布密度が低いものとなっている。これに対し、導光板固着部は、光源基板の導光板重畳部のうち、少なくとも光源非配置領域に対して選択的に固着される形で配されているから、仮に導光板固着部が光源基板の導光板重畳部のうち、光源配置領域に対して選択的に固着される形で配される場合に比べると、光源から導光板の光入射面に入射した光が導光板固着部によって散乱などされ難くなる。これにより、導光板固着部によって当該照明装置の光学性能が低下し難いものとなる。
【００１３】
（６）前記導光板の前記光入射面側端部には、前記光出射面から前記光源基板の前記導光板重畳部に向けて部分的に突出し、その突出先端面が前記導光板重畳部に沿って略フラットな形状とされるとともに、前記導光板固着部が固着される被固着突部が形成されている。このようにすれば、固着部材の導光板固着部を導光板の被固着突部に固着することで、光源基板に実装された光源を導光板の光入射面に対して位置決めすることができる。被固着突部は、光出射面からの突出先端面が導光板重畳部に沿って略フラットな形状とされているから、導光板固着部が安定的に固着され、それにより光入射面に対する光源の位置関係も安定したものとなる。
【００１４】
（７）前記遮光部は、前記被固着突部との間に間隔を空けた形で配されている。このようにすれば、遮光部が被固着突部に乗り上げる事態が生じ難くなる。これにより、遮光部による遮光機能を適切に発揮させることができる。
【００１５】
（８）前記導光板固着部は、前記光源基板の前記導光板重畳部のうち、前記光源非配置領域に加えて、前記光源配置領域における前記光源非配置領域と隣り合う端部に対しても選択的に固着される形で配されている。このようにすれば、仮に導光板固着部を導光板重畳部のうち光源非配置領域のみとした場合に比べると、光源基板に対する導光板固着部の固着面積が増加するので、導光板に対して光源基板をより安定的に固着することができる。一方、導光板固着部が導光板重畳部のうちの光源配置領域の一部にまで拡張されることで、光源から導光板の光入射面に入射した光が導光板固着部によって散乱などされる事態が懸念されるものの、導光板固着部は、導光板重畳部のうち、光源配置領域における光源非配置領域と隣り合う端部に対して選択的に固着されているので、光源から導光板の光入射面に入射した光が導光板固着部によって散乱などされる影響をごく軽微なものに留めることができる。これにより、導光板固着部によって当該照明装置の光学性能が低下し難いものとなる。
【００１６】
（９）前記導光板を取り囲む枠状をなすとともに、少なくとも一部が前記導光板の前記光入射面との間で前記光源を挟み込む形で配されてなるフレームが備えられるのに対し、前記光源基板は、少なくとも一部に、前記フレームのうち前記光入射面との間で前記光源を挟み込む部分に対して重なり合うフレーム重畳部を有しており、前記固着部材は、前記光源基板の前記フレーム重畳部と前記フレームのうち前記光入射面との間で前記光源を挟み込む部分との間に介在する形で配されて前記フレーム重畳部を前記フレームのうち前記光入射面との間で前記光源を挟み込む部分に対して固着するフレーム固着部を有している。このようにすれば、光源基板のフレーム重畳部をフレームのうち導光板の光入射面との間で光源を挟み込む部分に対して固着するフレーム固着部が固着部材に有されているから、光源が実装された光源基板の配置をより安定したものとすることができる。これにより、導光板の光入射面に対する光源の位置関係が安定したものとなるので、光源から光入射面に入射する光の入射効率を安定させることができる。しかも、遮光部を光源基板の導光板重畳部に対して固着する固着部材がフレーム固着部を有する構成であるから、仮に遮光部を導光板重畳部に対して固着する固着部材とは別途に光源基板をフレームに固着する部材を設けた場合に比べると、部品点数を削減することができる。
【００１７】
次に、上記課題を解決するために、本発明の表示装置は、上記記載の照明装置と、前記導光板に対して前記光出射面側に配されるとともに前記光出射面から出射される光を利用して画像が表示される表示領域を有する表示パネルと、を備える。
【００１８】
このような表示装置によると、表示パネルに光を供給する照明装置が薄型化されているので、全体の薄型化を実現することができる。特に、当該表示装置の狭額縁化が進行し、光源と表示パネルにおける表示領域との間の距離が短い構成においては、導光板の光入射面側端部から直接出射する光に起因して、表示パネルにおいて表示領域に表示される画像に係る表示品位が低下することが懸念されるが、遮光部によって上記のような漏れ光を遮ることで、画像に係る表示品位の低下を抑制することが可能とされる。
【００１９】
本発明の表示装置の実施態様として、次の構成が好ましい。
（１）前記表示パネルの端部に接続されるとともに電子部品が搭載されたフレキシブル基板が前記光源基板とは別途に備えられている。表示パネルの端部に接続されるフレキシブル基板に搭載される電子部品には、光源に比べて低背化を図るのが困難なものが含まれる可能性がある。このようなフレキシブル基板を光源基板とは別途に備える構成としているから、上記のような低背化が困難な電子部品が、ごく限られた照明装置の内部空間に存在することが回避される。これにより、照明装置の薄型化が阻害される事態が回避される。一方、上記のような低背化が困難な電子部品は、フレキシブル基板に搭載されることで、照明装置との比較においてスペースに余裕がある当該表示装置の内部空間に配されるので、当該表示装置の薄型化が阻害され難いものとされる。
【００２０】
（２）前記表示パネルと前記光源基板との間に介在する形で配されて前記光源基板を前記表示パネルに固着するパネル固着部材が備えられている。このように、パネル固着部材により光源基板を表示パネルに対して固着することで、光源基板の位置決めが図られるから、光源基板に実装された光源も、導光板の光入射面に対して位置ずれし難くなる。これにより、光源から光入射面に入射する光の入射効率を安定させることができる。
【００２１】
（３）前記パネル固着部材は、遮光性を有する構成とされる。このようにすれば、光源からの光が表示パネルに直接入射したり、導光板の光入射面側端部から出射した光が表示パネルに直接入射する事態をより生じ難くすることができる。これにより、表示パネルの表示領域に表示される画像に係る表示品位の低下を抑制することが可能とされる。
【００２２】
（４）前記表示パネルは、一対の基板間に液晶を封入してなる液晶パネルとされる。このような表示装置は液晶表示装置として、種々の用途、例えばスマートフォンやタブレット型ノートパソコンなどの携帯型情報端末に用いられるディスプレイ等に適用できる。
【００２３】
（発明の効果）
本発明によれば、薄型化を図ることができる。
【図面の簡単な説明】
【００２４】
【図１】本発明の実施形態１に係る液晶表示装置の分解斜視図
【図２】液晶表示装置に備えられるバックライト装置の平面図
【図３】液晶表示装置を図３のiii-iii線（ＬＥＤ配置領域を通る線）に沿って切断した断面図
【図４】液晶表示装置を図３のiv-iv線（ＬＥＤ非配置領域を通る線）に沿って切断した断面図
【図５】ＬＥＤ基板の底面図
【図６】導光板における光入射面を有する端部と、ＬＥＤ基板とのＸ軸方向についての位置関係を表す平面図
【図７】本発明の実施形態２に係るＬＥＤ基板の底面図
【図８】導光板における光入射面を有する端部と、ＬＥＤ基板とのＸ軸方向についての位置関係を表す平面図
【図９】本発明の実施形態３に係るＬＥＤ基板の底面図
【図１０】導光板における光入射面を有する端部と、ＬＥＤ基板とのＸ軸方向についての位置関係を表す平面図
【図１１】本発明の実施形態４に係る液晶表示装置の断面図
【図１２】本発明の実施形態５に係る液晶表示装置の断面図
【発明を実施するための形態】
【００２５】
＜実施形態１＞
本発明の実施形態１を図１から図６によって説明する。本実施形態では、表示パネルとして液晶パネル１１を備えた液晶表示装置（表示装置）１０について例示する。なお、各図面の一部にはＸ軸、Ｙ軸及びＺ軸を示しており、各軸方向が各図面で示した方向となるように描かれている。また、上下方向については、図３及び図４を基準とし、且つ同図上側を表側とするとともに同図下側を裏側とする。
【００２６】
液晶表示装置１０は、全体として長方形状をなしており、図１に示すように、画像を表示可能な液晶パネル（表示パネル）１１と、液晶パネル１１に対して裏側に配されるとともに液晶パネル１１に光を供給する外部光源であるバックライト装置（照明装置）１２とを備えている。なお、液晶パネル１１の表側には、例えば図示しない枠状部材を配置し、液晶パネル１１をバックライト装置１２との間で挟み込んで保持する構成とすることが可能である。それ以外には、液晶パネル１１の表側に図示しないタッチパネルやカバーパネルを被せ付けるようにすることも可能である。本実施形態に係る液晶表示装置１０は、主にスマートフォンやタブレット型ノートパソコンなどの携帯型電子機器に用いられるものであり、その画面サイズは、例えば４インチ程度から２０インチ程度とされている。
【００２７】
まず、液晶パネル１１について詳しく説明する。液晶パネル１１は、全体として平面に視て長方形状をなしており、図１及び図３に示すように、ほぼ透明で優れた透光性を有するガラス製の一対の基板１１ａ，１１ｂと、両基板１１ａ，１１ｂ間に介在し、電界印加に伴って光学特性が変化する物質である液晶分子を含む液晶層（図示せず）とを備え、両基板１１ａ，１１ｂが液晶層の厚さ分のギャップを維持した状態で図示しないシール剤によって貼り合わせられている。この液晶パネル１１は、画像が表示される表示領域（アクティブエリア）ＡＡと、表示領域を取り囲む額縁状（枠状）をなすとともに画像が表示されない非表示領域（ノンアクティブエリア）ＮＡＡとを有している（図３及び図４を参照）。なお、液晶パネル１１における短辺方向がＹ軸方向と一致し、長辺方向がＸ軸方向と一致し、さらに厚さ方向がＺ軸方向と一致している。
【００２８】
液晶パネル１１を構成する両基板１１ａ，１１ｂのうち表側（正面側）がＣＦ基板１１ａとされ、裏側（背面側）がアレイ基板１１ｂとされる。このうち、アレイ基板１１ｂは、図１及び図３に示すように、長辺寸法がＣＦ基板１１ａよりも大きなものとされ、一方の短辺側の端部がＣＦ基板１１ａの同端部と揃えられるのに対し、他方の短辺側の端部がＣＦ基板１１ａの同端部よりも外側に突き出しており、この突き出した端部に液晶パネル１１を駆動するためのドライバ（パネル駆動部）１３と、ドライバ１３に各種信号を供給するフレキシブル基板（ＦＰＣ）１４とがそれぞれ取り付けられている。このうち、ドライバ１３は、アレイ基板１１ｂにおける上記端部に対して直接ＣＯＧ（Chip On Glass）実装されており、フレキシブル基板１４を介して図示しないパネル駆動回路基板から供給される各種入力信号を処理して表示領域ＡＡ内に存する後述のスイッチング素子に供給することが可能とされる。なお、両基板１１ａ，１１ｂの外面側には、それぞれ偏光板１１ｃ，１１ｄが貼り付けられている。
【００２９】
液晶パネル１１の表示領域ＡＡにおける内部構造（いずれも図示は省略する）について説明する。アレイ基板１１ｂにおける内面側（液晶層側、ＣＦ基板１１ａとの対向面側）には、スイッチング素子であるＴＦＴ（Thin Film Transistor）及び画素電極が多数個マトリクス状に並んで設けられるとともに、これらＴＦＴ及び画素電極の周りには、格子状をなすゲート配線及びソース配線が取り囲むようにして配設されている。ゲート配線及びソース配線には、画像に係る信号がドライバ１３によりそれぞれ供給されるようになっている。ゲート配線及びソース配線により囲まれた方形の領域に配された画素電極は、ＩＴＯ（Indium Tin Oxide：酸化インジウム錫）或いはＺｎＯ（Zinc Oxide：酸化亜鉛）といった透明電極からなる。
【００３０】
一方、ＣＦ基板１１ａには、各画素に対応した位置に多数個のカラーフィルタが並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板１１ｂ側の画素電極と対向する対向電極が設けられている。このＣＦ基板１１ａは、アレイ基板１１ｂよりも一回り小さい大きさとされる。また、両基板１１ａ，１１ｂの内面側には、液晶層に含まれる液晶分子を配向させるための配向膜がそれぞれ形成されている。
【００３１】
続いて、フレキシブル基板１４について説明する。フレキシブル基板１４は、図１及び図３に示すように、その一方の端部がアレイ基板１１ｂのうちＣＦ基板１１ａよりも外側に突き出した端部に対して接続されるのに対し、他方の端部が図示しないパネル駆動回路基板に対して接続されている。フレキシブル基板１４は、可撓性を有するフィルム状の基材１４ａと、基材１４ａにおける一方の端部に形成された端子部（図示せず）と、基材１４ａにおける他方の端部に形成されたコネクタ部１４ｂと、基材１４ａ上に搭載された電子部品１４ｃとを備えてなる。基材１４ａは、全体として平面に視て略Ｌ字型をなしており、端子部を有する一方の端部をなすとともにＸ軸方向（アレイ基板１１ｂの短辺方向）に沿って延在する第１延在部１４ａ１と、第１延在部１４ａ１からＹ軸方向に沿って液晶パネル１１側とは反対側に向けて延在するとともにその延在端部がコネクタ部１４ｂを有する他方の端部をなす第２延在部１４ａ２とから構成される。基材１４ａのうち、第１延在部１４ａ１は、アレイ基板１１ｂの表側に配されるとともにアレイ基板１１ｂの端部に対して異方性導電膜（ＡＣＦ：Anisotropic Conductive Film）を介して電気的に且つ機械的に接続されている。これに対し、第２延在部１４ａ２は、Ｙ軸方向についてバックライト装置１２の外側にまで引き出されてからその裏側に向けて略Ｕ字型に折り返されることで、延在端部に配されたコネクタ部１４ｂがバックライト装置１２の裏側に配されるパネル駆動回路基板に対して接続されるようになっている。コネクタ部１４ｂは、第２延在部１４ａ２の延在端部におけるＹ軸方向に沿った辺部に実装されており、パネル駆動回路基板に接続された回路基板側コネクタ部（パネル駆動回路基板共々図示せず）が嵌合接続可能とされる。電子部品１４ｃは、基材１４ａのうち主に第２延在部１４ａ２に搭載されるとともに、少なくともその一部がコネクタ部１４ｂと共にバックライト装置１２の裏側に配されるようになっている。バックライト装置１２の裏側には、パネル駆動回路基板に加えて、後述するバックライト装置１２を構成するＬＥＤ１７を駆動するためのＬＥＤ駆動回路基板などが配されており、スペース上の制約がバックライト装置１２の内部空間に比べると余裕があるものとされる。従って、電子部品１４ｃのうち低背化が困難なコンデンサなどの電子部品１４ｃを基材１４のうちの第２延在部１４ａ２に搭載するとともに、バックライト装置１２の裏側に配置することで、液晶表示装置１０全体の薄型化が阻害される事態を回避している。
【００３２】
続いて、バックライト装置１２の構成について詳しく説明する。バックライト装置１２は、全体として液晶パネル１１と同様に平面に視て長方形の略ブロック状をなしている。バックライト装置１２は、図１から図３に示すように、液晶パネル１１側に向けて開口した略箱型をなすシャーシ（ケーシング、筐体）１５と、シャーシ１５内に収容されるフレーム１６と、光源であるＬＥＤ（Light Emitting Diode：発光ダイオード）１７と、ＬＥＤ１７が実装されたＬＥＤ基板（光源基板）１８と、ＬＥＤ１７からの光を導光する導光板１９と、導光板１９の表側に積層配置される光学シート（光学部材）２０と、導光板１９の裏側に積層配置される反射シート（反射部材）２１と、を少なくとも備える。このバックライト装置１２は、液晶パネル１１における外周側の端部にＬＥＤ１７が偏在する形で配された、いわゆるエッジライト型（サイドライト型）とされる。以下、バックライト装置１２の構成部品について順次に説明する。
【００３３】
シャーシ１５は、例えばアルミニウム板や電気亜鉛めっき綱板（ＳＥＣＣ）などの金属板からなり、図１から図３に示すように、液晶パネル１１と同様に平面に視て長方形の底板１５ａと、底板１５ａにおける各辺（一対の長辺及び一対の短辺）の外端からそれぞれ表側に向けて立ち上がる側板１５ｂとからなる。シャーシ１５（底板１５ａ）は、その長辺方向がＹ軸方向と一致し、短辺方向がＸ軸方向と一致している。底板１５ａの裏側には、図示しないパネル駆動回路基板やＬＥＤ駆動回路基板などの基板類が取り付けられている。４辺の側板１５ｂのうち、フレキシブル基板１４の第２延在部１４ａ２と重なり合う側板１５ｂ（図１に示す手前側に配された短辺側の側板１５ｂ）には、後述するＬＥＤ基板１８の延出部１８ａ２を外部に引き出すための引き出し切欠部１５ｂ１が形成されている。
【００３４】
フレーム１６は、合成樹脂製とされており、図１及び図２に示すように、外形がシャーシ１５よりも一回り小さい長方形の枠状に形成されている。フレーム１６は、シャーシ１５内に収容されるとともにその周りが４辺の側板１５ｂにより取り囲まれている。フレーム１６は、後述する導光板１９よりも一回り大きな枠状をなしており、導光板１９を外周側から取り囲む形で配される。フレーム１６は、Ｙ軸方向に沿って延在する一対の長辺部分と、Ｘ軸方向に沿って延在する一対の短辺部分とを連ねてなる。フレーム１６をなす一対の短辺部分のうち、一方の短辺部分は、図２及び図３に示すように、後述するＬＥＤ基板１８の一部と平面に視て重畳するとともに、導光板１９の光入射面１９ｂとの間でＬＥＤ１７を挟み込む形で配されるＬＥＤ基板重畳部（光源基板重畳部）１６ａとされている。このＬＥＤ基板重畳部１６ａは、フレーム１６をなす他の３辺の部分（一対の長辺部分、及びＬＥＤ基板重畳部１６ａとは反対側の短辺部分）に比べると、幅寸法が相対的に大きくされるのに対して厚み寸法が、ＬＥＤ基板１８の厚さ分程度、相対的に小さくされる。
【００３５】
ＬＥＤ１７は、図１から図３に示すように、ＬＥＤ基板１８の板面に固着される基板部上に半導体発光素子であるＬＥＤチップ（ＬＥＤ素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。このＬＥＤ１７は、図示しないアノード端子及びカソード端子を有しており、これらの間に順バイアスとなる直流電流が流されることで、ＬＥＤチップが発光するようになっている。このＬＥＤ１７は、ＬＥＤ基板１８に対する実装面に隣接する側面が発光面１７ａとされる、いわゆる側面発光型とされている。
【００３６】
ＬＥＤ基板１８は、図１から図３に示すように、絶縁材料製で可撓性を有するフィルム状（シート状）の基板部（基材）１８ａを有しており、この基板部１８ａの裏側の板面（液晶パネル１１側とは反対側の板面、フレーム１６及び導光板１９側を向いた板面）に上記したＬＥＤ１７が表面実装されるとともに、ＬＥＤ１７に対して給電するための配線パターン（図示せず）がパターニングされた構成とされている。このＬＥＤ基板１８は、バックライト装置１２における短辺側の一端部にのみ配されている。ＬＥＤ基板１８は、図３に示すように、フレーム１６及び導光板１９に対して表側に配されるとともに、これらと液晶パネル１１との間に挟み込まれる形で配されている。ＬＥＤ基板１８をなす基板部１８ａは、図１及び図２に示すように、バックライト装置１２の短辺方向（Ｘ軸方向）に沿って延在する主基板部１８ａ１と、主基板部１８ａ１における一方の端部からＹ軸方向に沿って外向き（導光板１９側とは反対側）に延出する延出部１８ａ２と、延出部１８ａ２の延出端部に形成されてＬＥＤ駆動回路基板に接続される外部接続部１８ａ３とから構成される。このうち、延出部１８ａ２は、フレキシブル基板１４をなす基材１４ａの第２延在部１４ａ２と平面に視て重畳する配置とされており、第２延在部１４ａ２と同様に、シャーシ１４外においてシャーシ１４の裏側に向けて略Ｕ字型に折り返されている。延出部１８ａ２の延在端部に配された外部接続部１８ａ３は、シャーシ１５の裏側に配されるＬＥＤ駆動回路基板に対して接続される。
【００３７】
主基板部１８ａ１は、図１，図３及び図５に示すように、平面に視て横長の長方形状をなすとともに、その長さ寸法（長辺寸法）が次述する導光板１９の短辺寸法と同じ程度かそれよりもやや大きくなるのに対し、その幅寸法（短辺寸法）が導光板１９の光入射面１９ａとフレーム１６のＬＥＤ基板重畳部１６ａとの間の距離（間隔）よりも大きくなるよう形成されている。従って、主基板部１８ａ１は、その幅方向（短辺方向、Ｙ軸方向）について一方の端部が導光板１９の一部（後述する光入射面側端部２４）と平面に視て重畳する導光板重畳部２２とされるのに対し、他方の端部がフレーム１６のＬＥＤ基板重畳部１６ａと平面に視て重畳するフレーム重畳部２３とされる。つまり、主基板部１８ａ１のうち、導光板重畳部２２とフレーム重畳部２３との間に挟み込まれた部分が、ＬＥＤ１７が実装されたＬＥＤ実装部とされている。主基板部１８ａ１のＬＥＤ実装部には、その長さ方向（Ｘ軸方向）に沿ってＬＥＤ１７が複数（図１及び図２では１０個）間欠的に並ぶ形で実装されており、隣り合うＬＥＤ１７同士が配線パターンにより直列接続されている。隣り合うＬＥＤ１７間の配列ピッチは、ほぼ一定とされており、つまり各ＬＥＤ１７は、Ｘ軸方向についてほぼ等間隔に配列されていると言える。主基板部１８ａ１（基板部１８ａ）は、図６に示すように、Ｘ軸方向、つまりＬＥＤ１７の並び方向について、ＬＥＤ１７が配置されたＬＥＤ配置領域（光源配置領域）ＬＡと、ＬＥＤ１７が配置されないＬＥＤ非配置領域（光源非配置領域）ＮＬＡとに区分され、ＬＥＤ配置領域ＬＡとＬＥＤ非配置領域ＮＬＡとが交互に並ぶ構成とされる。
【００３８】
上記した構成のＬＥＤ基板１８及びフレーム１６は、図１及び図３に示すように、液晶パネル１１に対してパネル固着部材２６により固着されている。パネル固着部材２６は、フレーム１６と同様に平面に視て長方形の枠状をなしており、表面が黒色をなすことで遮光性を有する基材の両面に粘着材を塗布してなる。パネル固着部材２６は、ＬＥＤ基板１８と平面視重畳する１つの短辺部が相対的に幅広とされるのに対し、残りの３つの辺部が相対的に幅狭に形成されており、幅広な短辺部がＬＥＤ基板１８の表側の板面と液晶パネル１１の裏側の板面とに固着されるのに対し、幅狭な３つの辺部がフレーム１６の３つの辺部（ＬＥＤ基板重畳部１６ａを除いた辺部）の表側の板面と液晶パネル１１の裏側の板面とに固着される。
【００３９】
導光板１９は、平面に視てフレーム１６の内寸よりも一回り小さな長方形の板状をなしており、図１及び図３に示すように、その板面が液晶パネル１１の板面に並行するとともに、その板面における長辺方向がＹ軸方向と、短辺方向がＸ軸方向とそれぞれ一致し、且つ板面と直交する板厚方向がＺ軸方向と一致している。導光板１９は、シャーシ１５内においてフレーム１６によりその周りが取り囲まれた形で収容されるとともに、液晶パネル１１及び光学シート２０の直下位置に配されている。導光板１９は、その外周端面のうち図３に示す左側の短辺側の端面が、ＬＥＤ１７と対向状をなすとともにＬＥＤ１７からの光が入射される光入射面（光源対向端面）１９ａとされる。導光板１９の外周端部、つまり一対の長辺側端部、及び一対の短辺側端部のうち、光入射面１９ａ側に位置する短辺側の一端部が、光入射面側端部２４とされる。光入射面側端部２４は、フレーム１６のＬＥＤ基板重畳部１６ａとの間にＬＥＤ１７を挟み込む形で配されている。一方、導光板１９における表裏一対の板面のうち、表側（液晶パネル１１側）を向いた板面が、光を液晶パネル１１に向けて出射させる光出射面１９ｂとされている。このような構成によれば、ＬＥＤ１７と導光板１９との並び方向がＹ軸方向と一致するのに対して、光学シート２０（液晶パネル１１）と導光板１９との並び方向がＺ軸方向と一致しており、両並び方向が互いに直交するものとされる。そして、導光板１９は、ＬＥＤ１７からＹ軸方向に沿って発せられた光を光入射面１９ａから導入するとともに、その光を内部で伝播させつつ光学シート２０側（表側、光出射側）へ向くよう立ち上げて表側の板面である光出射面１９ｂから出射させる機能を有している。
【００４０】
導光板１９のうちの光入射面側端部２４には、図３に示すように、光出射面１９ｂから表側、つまりＬＥＤ基板１８の導光板重畳部２２に向けて一部を突出させてなる光入射範囲拡張部２５が形成されている。光入射範囲拡張部２５は、光入射面側端部２４の光出射面１９ｂからの突出代がＬＥＤ１７（光入射面１９ａ）に近づくほど大きくなり、逆にＬＥＤ１７から遠ざかるほど小さくなるよう、断面形状が略直角三角形状をなしており、光入射面１９ａ側とは反対側に傾斜面２５ａを有する形状とされる。光入射範囲拡張部２５のうち、傾斜面２５ａとは反対側の面は、光入射面１９ａと面一状をなすとともにＬＥＤ１７と対向状をなしており、ＬＥＤ１７からの光が入射される拡張光入射面２５ｂとされる。これにより、導光板１９においてＬＥＤ１７からの光が入射される光入射範囲が拡張されるので、光の入射効率がより高いものとなり、もって高輝度化並びに低消費電力化を図る上で有用とされる。この光入射範囲拡張部２５は、図６に示すように、光入射面側端部２４におけるＸ軸方向（ＬＥＤ１７の並び方向）についての形成範囲が、ＬＥＤ１７の中央側部分、言い換えるとＬＥＤ基板１８におけるＬＥＤ配置領域ＬＡの両端部を除いた中央側部分と重なり合う範囲とされている。
【００４１】
光学シート２０は、図１及び図３に示すように、導光板１９の光出射面１９ｂの表側に載せられていて液晶パネル１１と導光板１９との間に介在して配されることで、導光板１９からの出射光を透過するとともにその透過光に所定の光学作用を付与しつつ液晶パネル１１に向けて出射させる。光学シート２０は、複数枚（本実施形態では３枚）が互いに積層されている。光学シート２０は、導光板１９と同様に平面に視て長方形状をなしている。なお、具体的な光学シート２０の種類としては、例えば拡散シート、レンズシート、反射型偏光シートなどがあり、これらの中から適宜に選択して使用することが可能である。
【００４２】
反射シート２１は、図１及び図３に示すように、導光板１９のうち、裏側、つまり光出射面１９ｂとは反対側の反対板面１９ｃを覆う形で配されている。この反射シート２１は、表面が光反射性に優れた白色を呈する合成樹脂製のシート材からなるものとされるので、導光板１９内を伝播する光を表側（光出射面１９ｂ）に向けて効率的に立ち上げることができる。反射シート２１は、導光板１９と同様に平面に視て長方形状をなしており、光入射面１９ａ側の端部が光入射面１９ａよりも外側に延出しており、その延出端部がフレーム１６のＬＥＤ基板重畳部１６ａと平面に視て重畳する形で配されている。この反射シート２１の延出部分によってＬＥＤ１７から発せられた光を、ＬＥＤ１７と光入射面１９ａとの間の空間において反射させて、光入射面１９ａに対して効率的に入射させることが可能とされる。
【００４３】
さて、本実施形態に係るＬＥＤ基板１８をなす基板部１８ａにおける導光板重畳部２２には、図３及び図５に示すように、導光板１９における光入射面側端部２４から出射した光を遮るための遮光部２７が設けられている。遮光部２７は、表面が白色を呈する合成樹脂材料（例えばＰＥＴなど）からなるものとされており、優れた遮光性と光反射性とを兼ね備えている。遮光部２７は、導光板重畳部２２のうち、Ｙ軸方向についてＬＥＤ１７側とは反対側の端部に取り付けられており、導光板重畳部２２の同端部と、光入射面側端部２４のうち、Ｙ軸方向について光入射範囲拡張部２５よりも内側（ＬＥＤ１７側とは反対側）の部分との間に介在する形で配されている。その上で、遮光部２７は、光入射面側端部２４における光出射面１９ｂに対して殆ど隙間無く当接されている。これにより、ＬＥＤ１７から導光板１９の光入射面１９ａに入射された光が導光板１９内を殆ど伝播することなく、光入射面側端部２４、特に光入射範囲拡張部２５の傾斜面２５ａから直接出射した場合でも、その光を遮光部２７により遮ることができる。もって、バックライト装置１２の光学性能が良好なものとなるとともに、液晶表示装置１０の液晶パネル１１における表示領域ＡＡに表示される画像に係る表示品位が良好なものとなる。しかも、導光板重畳部２２に設けられた遮光部２７が光入射面側端部２４に対して当接されることで、上記のような漏れ光をより確実に遮ることができるとともに、導光板１９における光入射面側端部２４をＺ軸方向、つまり光出射面１９ｂの法線方向について位置決めして、ＬＥＤ１７から光入射面１９ａに入射する光の入射効率を安定させることができる。また、遮光部２７は、優れた光反射性を有していることから、上記のような漏れ光を反射して再度導光板１９内に戻すことができるので、光の利用効率の向上にも資する。
【００４４】
上記したように、遮光部２７は、バックライト装置１２内に収容されるＬＥＤ基板１８に設けられており、液晶パネル１１に接続されたフレキシブル基板１４については、バックライト装置１２外に配置している。これに対し、従来では、液晶パネルに接続されたＦＰＣにＬＥＤを実装し、ＦＰＣを折り返してバックライト装置内に収容することでＬＥＤを配置する構成とされ、さらにＦＰＣとは別途に遮光のための規制部材をバックライト装置内に収容していたため、ＦＰＣに搭載された電子部品に低背化が困難なものが含まれていた場合にバックライト装置並びに液晶表示装置の薄型化を図るのが難しく、さらにはＦＰＣと規制部材とがバックライト装置内に収容されるため、バックライト装置並びに液晶表示装置の薄型化を図るのがより難しくなっていた。その点、本実施形態では、液晶パネル１１に接続されたフレキシブル基板１４とは別途にＬＥＤ１７を実装したＬＥＤ基板１８を用意しておき、フレキシブル基板１４をバックライト装置１２外に配置し、ＬＥＤ基板１８をバックライト装置１２内に収容するとともに、ＬＥＤ基板１８に遮光部２７を設けるようにしているから、フレキシブル基板１４に搭載された電子部品１４ｃに低背化が困難なものが含まれていた場合でも、その電子部品１４ｃをバックライト装置１２の内部空間に比べてスペース的な余裕があるバックライト装置１２外に配置することで、バックライト装置１２並びに液晶表示装置１０の薄型化を図る上で好適となり、さらにはフレキシブル基板１４がバックライト装置１２内に収容されないから、その厚さ分だけバックライト装置１２並びに液晶表示装置１０の薄型化を図ることができる。
【００４５】
より詳しくは、遮光部２７は、図５に示すように、基板部１８ａの導光板重畳部２２においてその長さ方向（Ｘ軸方向、ＬＥＤ１７の並び方向）に沿って延在する形で形成されており、その長さ寸法が基板部１８ａ（導光板重畳部２２）とほぼ同じとされるのに対し、幅寸法が導光板重畳部２２よりも小さなものとされる。つまり、遮光部２７は、図６に示すように、基板部１８ａにおいてＸ軸方向に沿ってＬＥＤ配置領域ＬＡとＬＥＤ非配置領域ＮＬＡとを横切る形で配されている、と言える。これにより、光入射範囲拡張部２５の傾斜面２５ａを含んだ光入射面側端部２４から直接出射する光を、Ｘ軸方向についての位置（ＬＥＤ配置領域ＬＡ及びＬＥＤ非配置領域ＮＬＡ）を問わず、遮光部２７によって遮ることができ、高い遮光性能が得られる。
【００４６】
上記のような構成の遮光部２７は、図３から図５に示すように、ＬＥＤ基板１８の基板部１８ａにおける導光板重畳部２２に対して固着部材２８を介して固着されている。固着部材２８は、合成樹脂製でフィルム状をなす基材の両面に粘着材を塗布してなるものとされる。固着部材２８は、遮光部２７と導光板重畳部２２との間に介在する形で配されてその両面がそれぞれ遮光部２７と導光板重畳部２２とに固着されている。固着部材２８は、平面に視た形成範囲が遮光部２７よりも広いものとされており、その外形がＬＥＤ基板１８の基板部１８ａとほぼ一致している。詳しくは、固着部材２８は、基板部１８ａと同様に平面に視てＸ軸方向に沿って延在する横長な長方形状をなしており、平面に視て各ＬＥＤ１７と重畳する部分に各ＬＥＤ１７を通すためのＬＥＤ用開口部２８ａを複数、Ｘ軸方向に沿って間欠的に並ぶ形で有している。ＬＥＤ用開口部２８ａは、平面に視てＬＥＤ１７の平面形状に倣って横長の長方形状をなすとともに、Ｘ軸方向についての開口幅がＬＥＤ１７の同幅寸法よりも僅かに大きなものとされる。固着部材２８には、平面に視て各ＬＥＤ用開口部２８ａ（ＬＥＤ）と遮光部２７との間に位置して、ＬＥＤ用開口部２８ａに連通する拡張開口部２８ｂが形成されている。拡張開口部２８ｂは、ＬＥＤ用開口部２８ａと同数がＸ軸方向に沿って間欠的に並んで配されており、各ＬＥＤ用開口部２８ａに対して個別に連通されている。拡張開口部２８ｂは、平面に視てＬＥＤ用開口部２８ａと同様に横長の長方形状をなすとともに、そのＸ軸方向についての開口幅がＬＥＤ用開口部２８ａの同開口幅よりも狭いものとされる。
【００４７】
上記のように平面に視た形成範囲が遮光部２７よりも広くされた固着部材２８は、図３から図５に示すように、導光板１９及びフレーム１６に対しても固着されるようになっている。つまり、固着部材２８は、ＬＥＤ基板１８の基材部１８ａにおける導光板重畳部２２と導光板１９の光入射面側端部２４とを固着する導光板固着部２９と、ＬＥＤ基板１８の基材部１８ａにおけるフレーム重畳部２３とフレーム１６のＬＥＤ基板重畳部１６ａとを固着するフレーム固着部３０とを有している。これにより、ＬＥＤ１７が実装されたＬＥＤ基板１８は、ＬＥＤ１７をＹ軸方向について前後から挟み込む導光板１９の光入射面側端部２４と、フレーム１６のＬＥＤ基板重畳部１６ａとに対してそれぞれ安定的に位置決めされるので、ＬＥＤ１７から導光板１９の光入射面１９ｂに入射する光の入射効率が安定したものとなり、輝度ムラなどが生じ難くなる。しかも、仮に固着部材２８とは別途に導光板重畳部２２と光入射面側端部２４とを固着する部材や、フレーム重畳部２３とＬＥＤ基板重畳部１６ａとを固着する部材を用意した場合に比べると、部品点数の削減が図られ、製造コストの低廉化を図る上で好適とされる。
【００４８】
導光板固着部２９は、図４及び図６に示すように、ＬＥＤ基板１８の基材部１８ａにおける導光板重畳部２２と、導光板１９の光入射面側端部２４との間に介在する形で配されてその両面がそれぞれ導光板重畳部２２と光入射面側端部２４とに固着されている。導光板固着部２９は、基材部１８ａにおける導光板重畳部２２において、Ｘ軸方向に沿って複数が間欠的に並んで配されており、その配列間隔がＬＥＤ非配置領域ＮＬＡ（後述する被固着突部３１）と概ね同様になっている。つまり、導光板固着部２９は、Ｘ軸方向について少なくともＬＥＤ非配置領域ＮＬＡの全域にわたって配されている。詳しくは、導光板固着部２９は、導光板重畳部２２において、Ｘ軸方向についてＬＥＤ非配置領域ＮＬＡの全域に加えて、ＬＥＤ配置領域ＬＡの両端部、つまりＬＥＤ非配置領域ＮＬＡと隣り合う端部にも配されている。これに対し、導光板１９の光入射面側端部２４には、光出射面１９ｂから表側、つまりＬＥＤ基板１８の導光板重畳部２２に向けて一部を突出させてなる被固着突部３１が形成されている。被固着突部３１は、その断面形状が横長な長方形状（四角形）をなしており、表側を向いた突出先端面３１ａがＬＥＤ基板１８の基板部１８ａ（導光板重畳部２２）に沿って略フラットな形状とされている。この被固着突部３１は、遮光部２７との間にＹ軸方向について所定の間隔を空いた位置に配されているので、ＬＥＤ基板１８を組み付ける際に遮光部２７が被固着突部３１に乗り上げる（干渉する）事態が生じ難いものとなっている。被固着突部３１のうち、ＬＥＤ１７と対向状をなす面は、光入射面１９ａと面一状をなしており、ＬＥＤ１７からの光が入射される第２の拡張光入射面３１ｂとされる。そして、この被固着突部３１は、光入射面側端部２４におけるＸ軸方向（ＬＥＤ１７の並び方向）についての形成範囲が、ＬＥＤ基板１８におけるＬＥＤ非配置領域ＮＬＡの全域と、ＬＥＤ配置領域ＬＡの両端部とに対して重なり合う範囲、つまり導光板固着部２９とほぼ同じ範囲とされている。従って、導光板固着部２９は、そのほぼ全域が被固着突部３１における略フラットな突出先端面３１ａに対して面当たりする形で固着されている。これにより、導光板重畳部２２を光入射面側端部２４に対してより強固に且つ安定的に固着することができる。しかも、導光板１９の光入射面側端部２４（被固着突部３１）に対して直接固着される導光板固着部２９は、ＬＥＤ基板１８の導光板重畳部２２において、Ｘ軸方向について少なくともＬＥＤ非配置領域ＮＬＡに選択的に配されているから、導光板１９内に入射した光が光入射面側端部２４において導光板固着部２９の粘着材によって散乱され難いものとされる。その上、導光板固着部２９は、ＬＥＤ基板１８の導光板重畳部２２において、Ｘ軸方向についてＬＥＤ非配置領域ＮＬＡに加えてＬＥＤ非配置領域ＮＬＡの端部に選択的に配されているから、光入射面側端部２４に対する固着面積を増加させてより安定した固着を実現しつつも、導光板固着部２９の粘着材による光入射面側端部２４内の光に生じ得る散乱を抑制してごく軽微なものに留めることができる。
【００４９】
フレーム固着部３０は、図３から図５に示すように、ＬＥＤ基板１８の基材部１８ａにおけるフレーム重畳部２３と、フレーム１６のＬＥＤ基板重畳部１６ａとの間に介在する形で配されてその両面がそれぞれフレーム重畳部２３とＬＥＤ基板重畳部１６ａとに固着されている。フレーム固着部３０は、基板部１８ａのフレーム重畳部２３においてその長さ方向（Ｘ軸方向、ＬＥＤ１７の並び方向）に沿って延在する形で形成されており、その長さ寸法が基板部１８ａ（フレーム重畳部２３）とほぼ同じとされる。つまり、フレーム固着部３０は、図６に示すように、基板部１８ａのフレーム重畳部２３においてＸ軸方向に沿ってＬＥＤ配置領域ＬＡとＬＥＤ非配置領域ＮＬＡとを横切る形で配されている、と言える。これにより、フレーム１６に対するフレーム固着部３０の固着面積が大きなものとなるので、ＬＥＤ基板１８をフレーム１６に対して強固に且つ安定的に固着することができる。
【００５０】
本実施形態は以上のような構造であり、続いてその作用を説明する。液晶表示装置１０の電源をＯＮにすると、パネル駆動回路基板からフレキシブル基板１４及びドライバ１３を介して液晶パネル１１に画像に係る信号が供給されるとともに、ＬＥＤ駆動回路基板からＬＥＤ基板１８上の各ＬＥＤ１７に対して電力が供給されることで、各ＬＥＤ１７が点灯される。各ＬＥＤ１７から発せられた光は、図３に示すように、導光板１９により導光されてから光学シート２０を透過することで、均一な面状の光に変換されてから液晶パネル１１に照射され、もって液晶パネル１１の表示領域ＡＡに所定の画像が表示される。
【００５１】
バックライト装置１２に係る作用について詳しく説明すると、各ＬＥＤ１７を点灯させると、各ＬＥＤ１７から出射した光は、図３に示すように、導光板１９における光入射面１９ａに入射した後、導光板１９における外部の空気層との界面にて全反射されたり、反射シート２１により反射されるなどして導光板１９内を伝播される過程で、光出射面１９ｂから出射されて光学シート２０に向けて照射される。ここで、導光板１９における光入射面側端部２４には、拡張光入射面２５ｂを有する光入射範囲拡張部２５が形成されており、拡張光入射面２５ｂの分だけ光入射範囲が拡張されているので、光の入射効率が高いものとされている。しかも、光入射面側端部２４には、第２の拡張光入射面３１ｂを有する被固着突部３１が形成されており、第２の拡張光入射面３１ｂの分だけ光入射範囲が拡張されているので、光の入射効率がさらに高いものとされている。これにより、輝度の向上並びに低消費電力化を図ることができる。
【００５２】
上記のように導光板１９の光入射面側端部２４に光入射範囲拡張部２５を形成するのに伴い、光入射面１９ａ側とは反対側を向いた傾斜面２５ａから光入射面側端部２４内の光が直接外部に出射することが懸念される。その点、本実施形態では、ＬＥＤ基板１８の基板部１８ａにおける導光板重畳部２２に遮光部２７を設けるようにしており、遮光部２７が、Ｚ軸方向について導光板重畳部２２と光入射面側端部２４との間に介在するとともに、Ｙ軸方向について光入射範囲拡張部２５に対してＬＥＤ１７側とは反対側に配されているから、上記傾斜面２５ａから光が直接出射した場合でも遮光部２７によって遮ることで、漏れ光が液晶パネル１１の板面に直接入射したり、光学シート２０の端面に直接入射するのを抑制することができる。しかも、本実施形態では、液晶パネル１１に対してフレーム１６及びＬＥＤ基板１８を固着するパネル固着部材２６が遮光性を有する構成であるから、上記した遮光部２７と共に漏れ光の液晶パネル１１への直接的な入射を効果的に抑制することができる。
【００５３】
以上説明したように本実施形態のバックライト装置（照明装置）１２は、ＬＥＤ（光源）１７と、端面にＬＥＤ１７からの光が入射する光入射面１９ａを有するとともに、板面に光を出射させる光出射面１９ｂを有する導光板１９と、ＬＥＤ１７が実装されるＬＥＤ基板１８であって、少なくとも一部に、導光板１９の端部のうち光入射面１９ａ側に位置する端部である光入射面側端部２４に対し、光出射面１９ｂ側において重なり合う導光板重畳部２２を有するＬＥＤ基板（光源基板）１８と、ＬＥＤ基板１８の導光板重畳部２２に設けられることで、導光板重畳部２２と導光板１９の光入射面側端部２４との間に介在する形で配される遮光部２７と、を備える。
【００５４】
このようにすれば、ＬＥＤ１７から導光板１９の光入射面１９ａに入射した光は、導光板１９内を伝播した後に光出射面１９ｂから出射される。ここで、仮に光入射面１９ａに入射した光が、導光板１９内を殆ど伝播することなく、導光板１９の端部のうち光入射面１９ａ側に位置する端部である光入射面側端部２４から直接出射した場合、その光が漏れ光となって当該バックライト装置１２の光学性能を悪化させるおそれがある。その点、ＬＥＤ１７が実装されたＬＥＤ基板１８は、少なくとも一部に、導光板１９の端部のうち光入射面１９ａ側に位置する端部である光入射面側端部２４に対し、光出射面１９ｂ側において重なり合う導光板重畳部２２を有していて、この導光板重畳部２２に設けられた遮光部２７を、導光板重畳部２２と導光板１９の光入射面側端部２４との間に介在させているから、導光板１９の光入射面側端部２４から光が直接出射した場合でも、その光を遮光部２７によって遮ることができる。これにより、当該バックライト装置１２の光学性能が良好に保たれる。その上で、遮光部２７は、ＬＥＤ１７が実装されたＬＥＤ基板１８に有される導光板重畳部２２に設けられているから、従来のようにＬＥＤ１７が実装されたＦＰＣとは別途に、遮光を図るための規制部材がバックライト装置１２内に収容される構成のものに比べると、当該バックライト装置１２の薄型化が図られる。
【００５５】
また、遮光部２７は、導光板１９の光入射面側端部２４の光出射面１９ｂに対して当接する形で配されている。このようにすれば、導光板１９の光入射面側端部２４から光が出射した場合でも、その光入射面側端部２４における光出射面１９ｂに当接する遮光部２７によって光の漏れをより確実に防ぐことができる。しかも、導光板１９の光入射面側端部２４が遮光部２７により光出射面１９ｂの法線方向について位置決めされるから、ＬＥＤ１７から光入射面１９ａに入射する光の入射効率を安定させることができる。
【００５６】
また、導光板１９の光入射面側端部２４には、光出射面１９ｂからＬＥＤ基板１８の導光板重畳部２２に向けて少なくとも一部を突出させてなり、ＬＥＤ１７に近づくほど突出代が大きくなるよう、光入射面１９ａ側とは反対側に傾斜面２５ａを有する光入射範囲拡張部２５が形成されている。このようにすれば、導光板１９の光入射面側端部２４に、光出射面１９ｂからＬＥＤ基板１８の導光板重畳部２２に向けて少なくとも一部を突出させてなり、ＬＥＤ１７に近づくほど突出代が大きくなる光入射範囲拡張部２５が形成されることで、ＬＥＤ１７からの光が導光板１９に入射される際の光入射範囲が拡張され、それにより光の入射効率がより高いものとなる。その一方、光入射範囲拡張部２５は、光入射面１９ａ側とは反対側に傾斜面２５ａを有しているため、その傾斜面２５ａから光が漏れ出すことが懸念される。ところが、この傾斜面２５ａから漏れ出した光は、導光板重畳部２２と光入射面側端部２４との間に介在する形で配される遮光部２７により遮光されるので、当該バックライト装置１２の光学性能が良好に保たれるようになっている。
【００５７】
また、少なくとも遮光部２７と、ＬＥＤ基板１８の導光板重畳部２２との間に介在する形で配されて遮光部２７を導光板重畳部２２に固着する固着部材２８が備えられている。このようにすれば、固着部材２８によって遮光部２７を導光板重畳部２２に対して簡単に設けることができる。
【００５８】
また、固着部材２８は、ＬＥＤ基板１８の導光板重畳部２２と、導光板１９の光入射面側端部２４との間に介在する形で配されて、導光板重畳部２２を光入射面側端部２４に対して固着する導光板固着部２９を有している。このようにすれば、ＬＥＤ基板１８の導光板重畳部２２を、導光板１９の光入射面側端部２４に対して固着する導光板固着部２９が固着部材２８に有されているから、ＬＥＤ基板１８に実装されたＬＥＤ１７を導光板１９の光入射面１９ａに対して、ＬＥＤ１７から光入射面１９ａに向かう方向について位置決めを図ることができる。これにより、ＬＥＤ１７から光入射面１９ａに入射する光の入射効率を安定させることができる。しかも、遮光部２７をＬＥＤ基板１８の導光板重畳部２２に対して固着する固着部材２８が導光板固着部２９を有する構成であるから、仮に遮光部２７を導光板重畳部２２に対して固着する固着部材２８とは別途にＬＥＤ基板１８を導光板１９に固着する部材を設けた場合に比べると、部品点数を削減することができる。
【００５９】
また、ＬＥＤ１７は、ＬＥＤ基板１８においてＬＥＤ基板１８の板面に沿い且つ光入射面１９ａに沿う方向について複数が間欠的に並んで配されているのに対し、ＬＥＤ基板１８は、ＬＥＤ１７の並び方向についてＬＥＤ１７が配されたＬＥＤ配置領域（光源配置領域）ＬＡと、ＬＥＤ１７が配されないＬＥＤ非配置領域（光源非配置領域）ＮＬＡとに区分されるとともに、ＬＥＤ配置領域ＬＡとＬＥＤ非配置領域ＮＬＡとが交互に並ぶ構成とされており、導光板固着部２９は、ＬＥＤ基板１８の導光板重畳部２２のうち、少なくともＬＥＤ非配置領域ＮＬＡに対して選択的に固着される形で配されている。このようにすれば、ＬＥＤ基板１８においてＬＥＤ基板１８の板面に沿い且つ光入射面１９ａに沿う方向について間欠的に並んで配される複数のＬＥＤ１７から発せられた光が、導光板１９の光入射面１９ａに入射されたとき、導光板１９の光入射面側端部２４に存在する光量の分布密度には、同端部におけるＬＥＤ１７の並び方向についての位置によってＬＥＤ１７の配置パターンに応じた差が生じ得る。すなわち、光入射面側端部２４のうち、ＬＥＤ１７の並び方向についてＬＥＤ配置領域ＬＡと重なり合う部分では、存在する光量の分布密度が高く、ＬＥＤ１７の並び方向についてＬＥＤ非配置領域ＮＬＡと重なり合う部分では、存在する光量の分布密度が低いものとなっている。これに対し、導光板固着部２９は、ＬＥＤ基板１８の導光板重畳部２２のうち、少なくともＬＥＤ非配置領域ＮＬＡに対して選択的に固着される形で配されているから、仮に導光板固着部２９がＬＥＤ基板１８の導光板重畳部２２のうち、ＬＥＤ配置領域ＬＡに対して選択的に固着される形で配される場合に比べると、ＬＥＤ１７から導光板１９の光入射面１９ａに入射した光が導光板固着部２９によって散乱などされ難くなる。これにより、導光板固着部２９によって当該バックライト装置１２の光学性能が低下し難いものとなる。
【００６０】
また、導光板１９の光入射面側端部２４には、光出射面１９ｂからＬＥＤ基板１８の導光板重畳部２２に向けて部分的に突出し、その突出先端面３１ａが導光板重畳部２２に沿って略フラットな形状とされるとともに、導光板固着部２９が固着される被固着突部３１が形成されている。このようにすれば、固着部材２８の導光板固着部２９を導光板１９の被固着突部３１に固着することで、ＬＥＤ基板１８に実装されたＬＥＤ１７を導光板１９の光入射面１９ａに対して位置決めすることができる。被固着突部３１は、光出射面１９ｂからの突出先端面３１ａが導光板重畳部２２に沿って略フラットな形状とされているから、導光板固着部２９が安定的に固着され、それにより光入射面１９ａに対するＬＥＤ１７の位置関係も安定したものとなる。
【００６１】
また、遮光部２７は、被固着突部３１との間に間隔を空けた形で配されている。このようにすれば、遮光部２７が被固着突部３１に乗り上げる事態が生じ難くなる。これにより、遮光部２７による遮光機能を適切に発揮させることができる。
【００６２】
また、導光板固着部２９は、ＬＥＤ基板１８の導光板重畳部２２のうち、ＬＥＤ非配置領域ＮＬＡに加えて、ＬＥＤ配置領域ＬＡにおけるＬＥＤ非配置領域ＮＬＡと隣り合う端部に対しても選択的に固着される形で配されている。このようにすれば、仮に導光板固着部２９を導光板重畳部２２のうちＬＥＤ非配置領域ＮＬＡのみとした場合に比べると、ＬＥＤ基板１８に対する導光板固着部２９の固着面積が増加するので、導光板１９に対してＬＥＤ基板１８をより安定的に固着することができる。一方、導光板固着部２９が導光板重畳部２２のうちのＬＥＤ配置領域ＬＡの一部にまで拡張されることで、ＬＥＤ１７から導光板１９の光入射面１９ａに入射した光が導光板固着部２９によって散乱などされる事態が懸念されるものの、導光板固着部２９は、導光板重畳部２２のうち、ＬＥＤ配置領域ＬＡにおけるＬＥＤ非配置領域ＮＬＡと隣り合う端部に対して選択的に固着されているので、ＬＥＤ１７から導光板１９の光入射面１９ａに入射した光が導光板固着部２９によって散乱などされる影響をごく軽微なものに留めることができる。これにより、導光板固着部２９によって当該バックライト装置１２の光学性能が低下し難いものとなる。
【００６３】
また、導光板１９を取り囲む枠状をなすとともに、少なくとも一部が導光板１９の光入射面１９ａとの間でＬＥＤ１７を挟み込む形で配されてなるフレーム１６が備えられるのに対し、ＬＥＤ基板１８は、少なくとも一部に、フレーム１６のうち光入射面１９ａとの間でＬＥＤ１７を挟み込む部分に対して重なり合うフレーム重畳部２３を有しており、固着部材２８は、ＬＥＤ基板１８のフレーム重畳部２３とフレーム１６のうち光入射面１９ａとの間でＬＥＤ１７を挟み込む部分との間に介在する形で配されてフレーム重畳部２３をフレーム１６のうち光入射面１９ａとの間でＬＥＤ１７を挟み込む部分に対して固着するフレーム固着部３０を有している。このようにすれば、ＬＥＤ基板１８のフレーム重畳部２３をフレーム１６のうち導光板１９の光入射面１９ａとの間でＬＥＤ１７を挟み込む部分に対して固着するフレーム固着部３０が固着部材２８に有されているから、ＬＥＤ１７が実装されたＬＥＤ基板１８の配置をより安定したものとすることができる。これにより、導光板１９の光入射面１９ａに対するＬＥＤ１７の位置関係が安定したものとなるので、ＬＥＤ１７から光入射面１９ａに入射する光の入射効率を安定させることができる。しかも、遮光部２７をＬＥＤ基板１８の導光板重畳部２２に対して固着する固着部材２８がフレーム固着部３０を有する構成であるから、仮に遮光部２７を導光板重畳部２２に対して固着する固着部材２８とは別途にＬＥＤ基板１８をフレーム１６に固着する部材を設けた場合に比べると、部品点数を削減することができる。
【００６４】
次に、本実施形態の液晶表示装置（表示装置）１０は、上記記載のバックライト装置１２と、導光板１９に対して光出射面１９ｂ側に配されるとともに光出射面１９ｂから出射される光を利用して画像が表示される表示領域ＡＡを有する液晶パネル（表示パネル）１１と、を備える。このような液晶表示装置１０によると、液晶パネル１１に光を供給するバックライト装置１２が薄型化されているので、全体の薄型化を実現することができる。特に、当該液晶表示装置１０の狭額縁化が進行し、ＬＥＤ１７と液晶パネル１１における表示領域ＡＡとの間の距離が短い構成においては、導光板１９の光入射面側端部２４から直接出射する光に起因して、液晶パネル１１において表示領域ＡＡに表示される画像に係る表示品位が低下することが懸念されるが、遮光部２７によって上記のような漏れ光を遮ることで、画像に係る表示品位の低下を抑制することが可能とされる。
【００６５】
また、液晶パネル１１の端部に接続されるとともに電子部品１４ｃが搭載されたフレキシブル基板１４がＬＥＤ基板１８とは別途に備えられている。液晶パネル１１の端部に接続されるフレキシブル基板１４に搭載される電子部品１４ｃには、ＬＥＤ１７に比べて低背化を図るのが困難なものが含まれる可能性がある。このようなフレキシブル基板１４をＬＥＤ基板１８とは別途に備える構成としているから、上記のような低背化が困難な電子部品１４ｃが、ごく限られたバックライト装置１２の内部空間に存在することが回避される。これにより、バックライト装置１２の薄型化が阻害される事態が回避される。一方、上記のような低背化が困難な電子部品１４ｃは、フレキシブル基板１４に搭載されることで、バックライト装置１２との比較においてスペースに余裕がある当該液晶表示装置１０の内部空間に配されるので、当該液晶表示装置１０の薄型化が阻害され難いものとされる。
【００６６】
また、液晶パネル１１とＬＥＤ基板１８との間に介在する形で配されてＬＥＤ基板１８を液晶パネル１１に固着するパネル固着部材２６が備えられている。このように、パネル固着部材２６によりＬＥＤ基板１８を液晶パネル１１に対して固着することで、ＬＥＤ基板１８の位置決めが図られるから、ＬＥＤ基板１８に実装されたＬＥＤ１７も、導光板１９の光入射面１９ａに対して位置ずれし難くなる。これにより、ＬＥＤ１７から光入射面１９ａに入射する光の入射効率を安定させることができる。
【００６７】
また、パネル固着部材２６は、遮光性を有する構成とされる。このようにすれば、ＬＥＤ１７からの光が液晶パネル１１に直接入射したり、導光板１９の光入射面側端部２４から出射した光が液晶パネル１１に直接入射する事態をより生じ難くすることができる。これにより、液晶パネル１１の表示領域ＡＡに表示される画像に係る表示品位の低下を抑制することが可能とされる。
【００６８】
また、表示パネルは、一対の基板１１ａ，１１ｂ間に液晶を封入してなる液晶パネル１１とされる。このような表示装置は液晶表示装置１０として、種々の用途、例えばスマートフォンやタブレット型ノートパソコンなどの携帯型情報端末に用いられるディスプレイ等に適用できる。
【００６９】
＜実施形態２＞
本発明の実施形態２を図７または図８によって説明する。この実施形態２では、固着部材１２８の開口範囲を変更するとともに、光入射範囲拡張部１２５及び被固着突部１３１の形成範囲を変更したものを示す。なお、上記した実施形態１と同様の構造、作用及び効果について重複する説明は省略する。
【００７０】
本実施形態に係る固着部材１２８には、図７に示すように、拡張開口部１２８ｂが平面に視て略台形状をなすよう形成されている。拡張開口部１２８ｂは、Ｘ軸方向についての開口幅がＬＥＤ用開口部１２８ａに近づくほど広くなるのに対し、遮光部１２７に近づくほど狭くなるような平面形状とされる。従って、導光板固着部１２９は、平面に視て拡張開口部１２８ｂとは上底及び下底が逆転した略台形状をなしており、Ｘ軸方向についての寸法がフレーム固着部１３０（ＬＥＤ１１７）に近づくほど狭くなるのに対し、遮光部１２７に近づくほど広くなるような平面形状とされる。
【００７１】
これに対して、導光板１１９のうち、導光板固着部１２９が固着される被固着突部１３１は、図８に示すように、平面形状が導光板固着部１２９と同様の略台形状とされている。これに伴い、光入射範囲拡張部１２５は、その平面形状が拡張開口部１２８ｂと同様の略台形状とされている。このような構成では、導光板固着部１２９及び被固着突部１３１における固着面積が、Ｙ軸方向について導光板１１９の光入射面１１９ａから遠ざかるほど大きくなり、逆に光入射面１１９ａに近づくほど小さくなっているので、ＬＥＤ１１７から光入射面側端部１２４に入射した光が導光板固着部１２９の粘着材によってより散乱され難くなり、もってバックライト装置の光学性能を一層良好なものとすることができる。
【００７２】
＜実施形態３＞
本発明の実施形態３を図９または図１０によって説明する。この実施形態３では、上記した実施形態２から、さらに固着部材２２８の開口範囲を変更するとともに、光入射範囲拡張部２２５及び被固着突部２３１の形成範囲を変更したものを示す。なお、上記した実施形態１と同様の構造、作用及び効果について重複する説明は省略する。
【００７３】
本実施形態に係る固着部材２２８には、図９に示すように、拡張開口部２２８ｂにおけるＸ軸方向についての開口幅が、ＬＥＤ用開口部２２８ａの同開口幅とほぼ同じとされている。従って、導光板固着部２２９におけるＸ軸方向についての寸法は、上記した実施形態１に記載されたものよりも小さなものとされている。導光板固着部２２９は、図１０に示すように、基材部２１８ａの導光板重畳部２２２において、Ｘ軸方向についてＬＥＤ非配置領域ＮＬＡのほぼ全域と重なり合うものの、ＬＥＤ配置領域ＬＡのほぼ全域とは重なり合うことがない範囲に形成されている。これに対して、導光板２１９のうち、導光板固着部２２９が固着される被固着突部２３１は、Ｘ軸方向についての形成範囲が上記した実施形態１に記載されたものよりも縮小されており、Ｘ軸方向についてＬＥＤ非配置領域ＮＬＡのほぼ全域と重なり合うものの、ＬＥＤ配置領域ＬＡのほぼ全域とは重なり合うことがない範囲に形成されている。これに伴い、光入射範囲拡張部２２５は、Ｘ軸方向についての形成範囲が上記した実施形態１に記載されたものよりも拡張されており、Ｘ軸方向についてＬＥＤ配置領域ＬＡのほぼ全域と重なり合うものの、ＬＥＤ非配置領域ＮＬＡのほぼ全域とは重なり合うことがない範囲に形成されている。このような構成では、上記した実施形態１に比べて、光入射範囲拡張部２２５のＸ軸方向についての形成範囲が拡張されているので、ＬＥＤ２１７から光入射面２１９ａに入射する光の入射効率がより高いものとされるとともに、導光板固着部２２９のＸ軸方向についての形成範囲が縮小されることで、ＬＥＤ２１７から光入射面側端部２２４に入射した光が導光板固着部２２９の粘着材によってより散乱され難くなり、もってバックライト装置の光学性能を一層良好なものとすることができる。
【００７４】
＜実施形態４＞
本発明の実施形態４を図１１によって説明する。この実施形態４では、上記した実施形態１から、光入射範囲拡張部３２５の断面形状を変更したものを示す。なお、上記した実施形態１と同様の構造、作用及び効果について重複する説明は省略する。
【００７５】
本実施形態に係る光入射範囲拡張部３２５は、図１１に示すように、導光板３１９の光入射面側端部３２４の光出射面３１９ｂからの突出代が変化する部分と、同突出代が一定とされる部分とを有している。光入射範囲拡張部３２５のうち、突出代が変化する部分は、傾斜面３２５ａを有するとともに、ＬＥＤ３１７から遠ざかるほど上記突出代が小さくなるよう変化している。光入射範囲拡張部３２５のうち、突出代が一定とされる部分は、拡張光入射面３２５ｂを有するとともに、その突出先端面がＬＥＤ基板３１８の導光板重畳部３２２に沿って略フラットな形状とされている。
【００７６】
＜実施形態５＞
本発明の実施形態５を図１２によって説明する。この実施形態５では、上記した実施形態１から、導光板４１９において光入射範囲拡張部及び被固着突部を省略したものを示す。なお、上記した実施形態１と同様の構造、作用及び効果について重複する説明は省略する。
【００７７】
本実施形態に係る導光板４１９は、図１２に示すように、全域にわたって厚み寸法がほぼ一定とされており、光入射面側端部４２４には上記した実施形態１に記載したような光入射範囲拡張部及び被固着突部が形成されていない。このような構成においても、ＬＥＤ４１７から光入射面側端部４２４に入射した光が光入射面側端部４２４から直接出射する可能性があり、その場合でも遮光部４２７によって漏れ光を遮ることができる。
【００７８】
＜他の実施形態＞
本発明は上記記述及び図面によって説明した実施形態に限定されるものではなく、例えば次のような実施形態も本発明の技術的範囲に含まれる。
（１）上記した各実施形態では、遮光部が導光板の光入射面側端部に対してほぼ隙間無く当接する構成のものを示したが、これに限らず、遮光部と光入射面側端部との間に隙間が空き、遮光部が光入射面側端部とは非接触とされる構成でも構わない。
【００７９】
（２）上記した各実施形態では、導光板の光入射面側端部に形成された光入射範囲拡張部が、光入射面側とは反対側に傾斜面を有する構成のものを示したが、被固着突部と同様に、光入射範囲拡張部における光入射面側とは反対側の面がＺ軸方向に沿ってほぼ真っ直ぐな面とされる構成であってもよい。
【００８０】
（３）上記した各実施形態以外にも、光入射範囲拡張部及び被固着突部におけるＸ軸方向についての形成範囲及び平面形状は適宜に変更可能である。同様に固着部材における拡張開口部及び導光板固着部におけるＸ軸方向についての形成範囲及び平面形状は適宜に変更可能である。
【００８１】
（４）上記した各実施形態では、光入射範囲拡張部と被固着突部とがそれぞれ光入射面側端部においてＸ軸方向について部分的に配置された構成のものを示したが、例えば、被固着突部を省略し、光入射範囲拡張部を光入射面側端部においてＸ軸方向についてほぼ全域にわたって形成する構成を採ることも可能である。その場合には、固着部材において導光板固着部を省略することが可能である。逆に、光入射範囲拡張部を省略し、被固着突部を光入射面側端部においてＸ軸方向についてほぼ全域にわたって形成する構成を採ることも可能である。その場合は、固着部材において拡張開口部を省略し、導光板固着部の形成範囲を拡張することが可能である。
【００８２】
（５）上記した各実施形態では、ＬＥＤ基板の基板部における導光板重畳部に対して遮光部が固着部材によって固着される構成のものを示したが、導光板重畳部に遮光部を設ける（一体化する）に際して、例えば接着剤を用いることも可能である。接着剤としては、熱硬化性樹脂材料からなるものや、光硬化性樹脂材料（紫外線硬化性樹脂材料や可視光線硬化性樹脂材料を含む）からなるものを用いることが可能である。それ以外にも、熱溶着や超音波溶着などの手法によって導光板重畳部に遮光部を設けることも可能である。
【００８３】
（６）上記した（５）の構成を採用した場合、遮光部をＬＥＤ基板の基材部に対して固着する固着部材については省略することができるが、ＬＥＤ基板の基材部を導光板及びフレームに対して固着する固着部材については用いるのが好ましい。しかし、このような固着部材は必ずしも用いる必要がなく、場合によってはＬＥＤ基板の基材部を導光板及びフレームに対して固着しない構成（固着部材を用いない構成）を採ることも可能である。
【００８４】
（７）上記した各実施形態では、ＬＥＤ基板の基材部とは別部品の遮光部を固着部材により導光板重畳部に対して固着した構成のものを示したが、ＬＥＤ基板の基材部に遮光部を一体形成することも可能である。その場合、ＬＥＤ基板の基材部を遮光性材料により形成すればよい。
【００８５】
（８）上記した各実施形態では、固着部材がフレームに対して固着されるフレーム固着部を有する構成のものを示したが、フレーム固着部を省略することも可能である。
【００８６】
（９）上記した各実施形態では、パネル固着部材がフレームとＬＥＤ基板とに固着される場合を示したが、パネル固着部材がフレームに固着されるものの、ＬＥＤ基板には固着されない構成とすることも可能である。また、パネル固着部材を省略することも可能である。その場合、パネル固着部材に代えて接着剤（好ましくは光硬化性樹脂材料からなる接着剤）を用いることが可能である。
【００８７】
（１０）上記した各実施形態では、短辺側の一端面がＬＥＤと対向する光入射面とされた配置のものを示したが、導光板における長辺側の一端面がＬＥＤからの光が入射される光入射面とされた配置のものも本発明に含まれる。それ以外にも、導光板における短辺側の両端面がＬＥＤからの光が入射される光入射面とされた配置のものも本発明に含まれる。さらには、導光板における長辺側の両端面がＬＥＤからの光が入射される光入射面とされた配置のものも本発明に含まれる。また、導光板における任意の３つの端面がＬＥＤからの光が入射される光入射面とされた配置のものや、導光板における４つの端面全てがＬＥＤからの光が入射される光入射面とされた配置のものも本発明に含まれる。
【００８８】
（１１）上記した各実施形態では、ＬＥＤ基板がフィルム状の基材からなるものを例示したが、ＬＥＤ基板の基材が一定の厚みを有する板状をなす構成とすることも可能である。
【００８９】
（１２）上記した各実施形態では、基板部にＬＥＤを実装してなるＬＥＤ基板について例示したが、有機ＥＬなどの他の光源を実装した光源基板にも本発明は適用可能である。
【００９０】
（１３）上記した各実施形態では、スマートフォンやタブレット型ノートパソコンなどの携帯情報端末に用いる液晶表示装置について例示したが、例えば車載型情報端末（携帯型カーナビゲーションシステム）、携帯型ゲーム機などに用いる液晶表示装置にも本発明は適用可能である。
【００９１】
（１４）上記した各実施形態では、液晶パネルが有するカラーフィルタの着色部をＲ，Ｇ，Ｂの３色としたものを例示したが、着色部を４色以上とすることも可能である。
【００９２】
（１５）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【符号の説明】
【００９３】
１０…液晶表示装置（表示装置）、１１…液晶パネル（表示パネル）、１１ａ…ＣＦ基板（基板）、１１ｂ…アレイ基板（基板）、１２…バックライト装置（照明装置）、１４…フレキシブル基板、１４ｃ…電子部品、１６…フレーム、１７，１１７，２１７，３１７，４１７…ＬＥＤ（光源）、１８，３１８…ＬＥＤ基板（光源基板）、１９，１１９，２１９，３１９，４１９…導光板、１９ａ，１１９ａ，２１９ａ…光入射面、１９ｂ，３１９ｂ…光出射面、２２，２２２，３２２…導光板重畳部、２３…フレーム重畳部、２４，１２４，２２４，４２４…光入射面側端部、２５，１２５，２２５，３２５…光入射範囲拡張部、２５ａ，３２５ａ…傾斜面、２６…パネル固着部材、２７，１２７，４２７…遮光部、２８，１２８，２２８…固着部材、２９，１２９，２２９…導光板固着部、３０，１３０…フレーム固着部、３１，１３１，２３１…被固着突部、３１ａ…突出先端面、ＬＡ…ＬＥＤ配置領域（光源配置領域）、ＡＡ…表示領域、ＮＬＡ…ＬＥＤ非配置領域（光源非配置領域）
【図１】
2014188748.tif 000003
【図２】
2014188748.tif 000004
【図３】
2014188748.tif 000005
【図４】
2014188748.tif 000006
【図５】
2014188748.tif 000007
【図６】
2014188748.tif 000008
【図７】
2014188748.tif 000009
【図８】
2014188748.tif 000010
【図９】
2014188748.tif 000011
【図１０】
2014188748.tif 000012
【図１１】
2014188748.tif 000013
【図１２】
2014188748.tif 000014
【手続補正書】
【提出日】平成27年11月2日(2015.11.2)
【手続補正１】
【補正対象書類名】特許請求の範囲
【補正対象項目名】全文
【補正方法】変更
【補正の内容】
【特許請求の範囲】
【請求項１】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備え、
少なくとも前記遮光部と、前記光源基板の前記導光板重畳部との間に介在する形で配されて前記遮光部を前記導光板重畳部に固着する固着部材が備えられており、
前記固着部材は、前記光源基板の前記導光板重畳部と、前記導光板の前記光入射面側端部との間に介在する形で配されて、前記導光板重畳部を前記光入射面側端部に対して固着する導光板固着部を有し、
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配され、
前記導光板の前記光入射面側端部には、前記光出射面から前記光源基板の前記導光板重畳部に向けて部分的に突出し、その突出先端面が前記導光板重畳部に沿って略フラットな形状とされるとともに、前記導光板固着部が固着される被固着突部が形成されている照明装置。
【請求項２】
前記遮光部は、前記導光板の前記光入射面側端部における前記光出射面に対して当接する形で配されている請求項１記載の照明装置。
【請求項３】
前記導光板の前記光入射面側端部には、前記光出射面から前記光源基板の前記導光板重畳部に向けて少なくとも一部を突出させてなり、前記光源に近づくほど突出代が大きくなるよう、前記光入射面側とは反対側に傾斜面を有する光入射範囲拡張部が形成されている請求項１または請求項２記載の照明装置。
【請求項４】
前記遮光部は、前記被固着突部との間に間隔を空けた形で配されている請求項１記載の照明装置。
【請求項５】
前記導光板固着部は、前記光源基板の前記導光板重畳部のうち、前記光源非配置領域に加えて、前記光源配置領域における前記光源非配置領域と隣り合う端部に対しても選択的に固着される形で配されている請求項１または請求項４に記載の照明装置。
【請求項６】
前記導光板を取り囲む枠状をなすとともに、少なくとも一部が前記導光板の前記光入射面との間で前記光源を挟み込む形で配されてなるフレームが備えられるのに対し、前記光源基板は、少なくとも一部に、前記フレームのうち前記光入射面との間で前記光源を挟み込む部分に対して重なり合うフレーム重畳部を有しており、
前記固着部材は、前記光源基板の前記フレーム重畳部と前記フレームのうち前記光入射面との間で前記光源を挟み込む部分との間に介在する形で配されて前記フレーム重畳部を前記フレームのうち前記光入射面との間で前記光源を挟み込む部分に対して固着するフレーム固着部を有している請求項１、請求項４、または請求項５のいずれか１項に記載の照明装置。
【請求項７】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備え、
少なくとも前記遮光部と、前記光源基板の前記導光板重畳部との間に介在する形で配されて前記遮光部を前記導光板重畳部に固着する固着部材が備えられており、
前記固着部材は、前記光源基板の前記導光板重畳部と、前記導光板の前記光入射面側端部との間に介在する形で配されて、前記導光板重畳部を前記光入射面側端部に対して固着する導光板固着部を有し、
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配され、
前記導光板固着部は、前記光源基板の前記導光板重畳部のうち、前記光源非配置領域に加えて、前記光源配置領域における前記光源非配置領域と隣り合う端部に対しても選択的に固着される形で配されている照明装置。
【請求項８】
請求項１から請求項７のいずれか１項に記載の照明装置と、前記導光板に対して前記光出射面側に配されるとともに前記光出射面から出射される光を利用して画像が表示される表示領域を有する表示パネルと、を備える表示装置。
【請求項９】
前記表示パネルの端部に接続されるとともに電子部品が搭載されたフレキシブル基板が前記光源基板とは別途に備えられている請求項８記載の表示装置。
【請求項１０】
前記表示パネルと前記光源基板との間に介在する形で配されて前記光源基板を前記表示パネルに固着するパネル固着部材が備えられている請求項８または請求項９記載の表示装置。
【請求項１１】
前記パネル固着部材は、遮光性を有する構成とされる請求項１０記載の表示装置。
【請求項１２】
前記表示パネルは、一対の基板間に液晶を封入してなる液晶パネルとされる請求項８から請求項１１のいずれか１項に記載の表示装置。
【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備え、
少なくとも前記遮光部と、前記光源基板の前記導光板重畳部との間に介在する形で配されて前記遮光部を前記導光板重畳部に固着する固着部材が備えられており、
前記固着部材は、前記光源基板の前記導光板重畳部と、前記導光板の前記光入射面側端部との間に介在する形で配されて、前記導光板重畳部を前記光入射面側端部に対して固着する導光板固着部を有し、
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配され、
前記導光板の前記光入射面側端部には、前記光出射面から前記光源基板の前記導光板重畳部に向けて部分的に突出し、その突出先端面が前記導光板重畳部に沿って略フラットな形状とされるとともに、前記導光板固着部が固着される被固着突部が形成されており、
前記遮光部は、前記被固着突部との間に間隔を空けた形で配されている照明装置。
【請求項２】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備え、
少なくとも前記遮光部と、前記光源基板の前記導光板重畳部との間に介在する形で配されて前記遮光部を前記導光板重畳部に固着する固着部材が備えられており、
前記固着部材は、前記光源基板の前記導光板重畳部と、前記導光板の前記光入射面側端部との間に介在する形で配されて、前記導光板重畳部を前記光入射面側端部に対して固着する導光板固着部を有し、
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配され、
前記導光板の前記光入射面側端部には、前記光出射面から前記光源基板の前記導光板重畳部に向けて部分的に突出し、その突出先端面が前記導光板重畳部に沿って略フラットな形状とされるとともに、前記導光板固着部が固着される被固着突部が形成されており、
前記導光板固着部は、前記光源基板の前記導光板重畳部のうち、前記光源非配置領域に加えて、前記光源配置領域における前記光源非配置領域と隣り合う端部に対しても選択的に固着される形で配されている照明装置。
【請求項３】
前記導光板を取り囲む枠状をなすとともに、少なくとも一部が前記導光板の前記光入射面との間で前記光源を挟み込む形で配されてなるフレームが備えられるのに対し、前記光源基板は、少なくとも一部に、前記フレームのうち前記光入射面との間で前記光源を挟み込む部分に対して重なり合うフレーム重畳部を有しており、
前記固着部材は、前記光源基板の前記フレーム重畳部と前記フレームのうち前記光入射面との間で前記光源を挟み込む部分との間に介在する形で配されて前記フレーム重畳部を前記フレームのうち前記光入射面との間で前記光源を挟み込む部分に対して固着するフレーム固着部を有している請求項１または請求項２記載の照明装置。
【請求項４】
光源と、
端面に前記光源からの光が入射する光入射面を有するとともに、板面に光を出射させる光出射面を有する導光板と、
前記光源が実装される光源基板であって、少なくとも一部に、前記導光板の端部のうち前記光入射面側に位置する端部である光入射面側端部に対し、前記光出射面側において重なり合う導光板重畳部を有する光源基板と、
前記光源基板の前記導光板重畳部に設けられることで、前記導光板重畳部と前記導光板の前記光入射面側端部との間に介在する形で配される遮光部と、を備え、
少なくとも前記遮光部と、前記光源基板の前記導光板重畳部との間に介在する形で配されて前記遮光部を前記導光板重畳部に固着する固着部材が備えられており、
前記固着部材は、前記光源基板の前記導光板重畳部と、前記導光板の前記光入射面側端部との間に介在する形で配されて、前記導光板重畳部を前記光入射面側端部に対して固着する導光板固着部を有し、
前記光源は、前記光源基板において前記光源基板の板面に沿い且つ前記光入射面に沿う方向について複数が間欠的に並んで配されているのに対し、前記光源基板は、前記光源の並び方向について前記光源が配された光源配置領域と、前記光源が配されない光源非配置領域とに区分されるとともに、前記光源配置領域と前記光源非配置領域とが交互に並ぶ構成とされており、
前記導光板固着部は、前記光源基板の前記導光板重畳部のうち、少なくとも前記光源非配置領域に対して選択的に固着される形で配され、
前記導光板固着部は、前記光源基板の前記導光板重畳部のうち、前記光源非配置領域に加えて、前記光源配置領域における前記光源非配置領域と隣り合う端部に対しても選択的に固着される形で配されている照明装置。
【請求項５】
請求項１から請求項４のいずれか１項に記載の照明装置と、前記導光板に対して前記光出射面側に配されるとともに前記光出射面から出射される光を利用して画像が表示される表示領域を有する表示パネルと、を備える表示装置。
【請求項６】
前記表示パネルの端部に接続されるとともに電子部品が搭載されたフレキシブル基板が前記光源基板とは別途に備えられている請求項５記載の表示装置。
【請求項７】
前記表示パネルと前記光源基板との間に介在する形で配されて前記光源基板を前記表示パネルに固着するパネル固着部材が備えられている請求項５または請求項６記載の表示装置。
【請求項８】
前記パネル固着部材は、遮光性を有する構成とされる請求項７記載の表示装置。
【請求項９】
前記表示パネルは、一対の基板間に液晶を封入してなる液晶パネルとされる請求項５から請求項８のいずれか１項に記載の表示装置。
【国際調査報告】
2014188748.tif 000015
2014188748.tif 000016
2014188748.tif 000017